(57)【要約】【課題】商品陳列棚の棚板上に載せて使用できるようにし、商品の重量により棚板が歪むのを防止するとともに、商品支持部材の歪みも防止し、商品の前出し機能も損ねないようにする。【解決手段】商品陳列棚の棚板に載せて使用するローラ付きの商品陳列取出ユニットにおいて、商品の移動方向と直角に商品を支持するローラが並列に回転自在に架設された商品支持部材と、商品の重量による当該商品支持部材の歪みを防ぐための剛性板と、当該剛性板および商品支持部材を保持するとともに一体化させる第１のアタッチメントと、少なくとも剛性板を所望の高さ位置で保持する第２のアタッチメントとを備えて成る。【選択図】図１
2011115479.tif 000002
【特許請求の範囲】
【請求項１】
商品陳列棚の棚板に載せて使用するローラ付きの商品陳列取出ユニットにおいて、
商品の移動方向と直角に商品を支持するローラが並列に回転自在に架設された商品支持部材と、
商品の重量による当該商品支持部材の歪みを防ぐための剛性板と、
当該剛性板および商品支持部材を保持するとともに一体化させる第１のアタッチメントと、
少なくとも剛性板を所望の高さ位置で保持する第２のアタッチメントとを備え、
当該剛性板上に商品支持部材が載置され、
商品が移動する方向の前方に相当する剛性板および商品支持部材のそれぞれの前方部分に当該第１のアタッチメントが装着され、
商品が移動する方向の後方に相当する少なくとも剛性板の後方部分に当該第２のアタッチメントが装着され、
当該第１のアタッチメントおよび第２のアタッチメントが棚板上に設置されて、当該剛性板と商品支持部材とが棚板に対して前方に向かって下り傾斜した状態となるように載置されることを特徴とする商品陳列取出ユニット。
【請求項２】
前記第１のアタッチメントには、商品支持部材の前方部分を差し込む上段差込口と、剛性板の前方部分を差し込む下段差込口とが形成され、前記第２のアタッチメントには、剛性板の後方部分のみを差し込む差込口が形成され、商品支持部材の後方部分は剛性板上に載置され、商品支持部材の前方部分を上段差込口から抜くとき、後方部分が第２のアタッチメントに邪魔されることなく抜き出されるように構成したことを特徴とする請求項１に記載の商品陳列取出ユニット。
【請求項３】
前記第２のアタッチメントの本体部の一側面に形成された差込口は、本体部の上面までの距離と下面までの距離とが異なり、本体部の上下を逆さにして下面のみならず上面も棚板上に載る底面とすることができるようにしたことを特徴とする請求項１又は２に記載の商品陳列取出ユニット。
【請求項４】
前記商品支持部材の本体ベース前方部分に前面ストッパを取付けたことを特徴とする請求項１ないし３のいずれか１項に記載の商品陳列取出ユニット。
【請求項５】
前記第１のアタッチメントと第２のアタッチメントをアルミニウムの押出成形で形成したことを特徴とする請求項１ないし４のいずれか１項に記載の商品陳列取出ユニット。
【請求項６】
請求項１ないし５のいずれか１項記載の商品陳列取出ユニットが棚板に載置された商品陳列棚。
【発明の詳細な説明】
【技術分野】
【０００１】
本発明は、缶詰、びん詰、紙パック詰、箱詰等の商品を列状に陳列して、陳列の最前部の商品から取り出せるようにした商品陳列取出ユニット及びこのユニットを使用した商品陳列棚に関する。
【背景技術】
【０００２】
従来、スーパーマーケット、ドラックストアー等の量販店においては、図１２に示す商品陳列ケース５０に多種類の商品を個々の陳列棚へ豊富に陳列しており、商品は手前の方から売れていくため必然的に前の部分が空くことになり、従って奥にある商品を手前に出す所謂前出作業が必要となる。このため、種々の自動又は半自動の前出し機能を備えた商品陳列棚又は商品陳列具が多数提案されている。
【０００３】
従来の前出し機能を備えた陳列取出ユニット５１（図１２参照）は、商品の仕切り機能を持つ両側板５２ａ、５２ｂが固定して設けられているため、この両側板で形成される幅寸法に見合う大きさの商品５３を陳列できるものの、その幅寸法より大きい商品の陳列は、それに見合う別途のユニットが必要である。このため、多種類の陳列取出ユニットを取り揃える必要があり、在庫管理等が煩雑であるという問題がある。また、商品の仕切り幅の調節を自在とするため、着脱可能な商品仕切り板を設けた陳列棚もあるが、飲料ボトル等の重量商品の横滑りを確実に防止できない、また、商品仕切り板の掛け違いを生じ見栄えが悪い等の問題がある。
【０００４】
このような問題を解消するため、図１３に示すような商品陳列取出ユニット６０が開発された（特開平８−２４０９１号公報）。これは、ユニット本体６１と、商品仕切り板６２と、商品前方倒れ防止板６３とから構成されている。ユニット本体６１は中央部が３つの区画に仕切られた浅い箱状枠体部６９と、前方係合穴部にあけられた前方係合穴６４と、後方係合穴部にあけられた後方係合穴６５と、前方係合穴部の前方端とで係合溝６６を形成する商品前方倒れ防止板支持部６７とから構成され、全体は樹脂製の略四角形状となっている。また、図１４に示すように、中央部の浅い箱状枠体部６９の区画には、商品５３を前方にスライドさせるように回動可能に架設された多数個のローラＲを配設した３個のローラ配設枠体７０をそれぞれ嵌め込んである。ローラ配設枠体７０は５列のローラ配設部を有する浅い箱状物である。また、中心に軸通穴を有するローラＲは、ローラ配設枠体７０の両側壁板７１及びローラ案内壁板６８に形成された軸穴に軸支される軸７２に回動可能に取り付けられている。このとき、各々のローラＲの頂部がローラ案内壁板６８及び商品安定補助版７３の頂部より約０.３ｍｍ程度上方に出る程度に取り付けられる。このローラ案内壁板６８は商品が安定にスライドする安定補正板の機能も有するものである。前方係合穴６４及び後方係合穴６５は、１列毎に３列形成され、穴の位置が、隣接する両側の穴の位置と左右同列にないジグザグ模様に形成されている。係合穴６４の穴形状は商品仕切り板６２の前方係合部６２Ａの断面形状よりやや大きめの矩形状である。また、後方係合穴６５も同様の構造である。
【０００５】
図１２〜図１４に示す従来例（特許第３１２６９４７号公報参照）は、商品５３を前方にスライドさせる底面部と、商品仕切り板６２の前方係合部６２Ａが着脱可能に係合する前方係合穴６４を横方向に多数形成した前方係合穴部と、商品仕切り板６２の後方係合部６２Ｂが着脱可能に係合する後方係合穴６５を横方向に多数形成した後方係合穴部と、を有する前方に向かって下り傾斜する状態に設置される商品陳列取出ユニット６０である。そして、前記前方係合穴部及び前記後方係合穴部に形成された係合穴６４、６５は矩形状であり、且つ前記前方係合穴部及び前記後方係合穴部に形成された係合穴の位置が、隣接する両側の係合穴の位置と左右同列にないようにして、商品仕切り板６２の掛け違えのないように設けたものであり、これにより、飲料ボトル等の重量商品の陳列姿勢を確実に確保でき、且つ、商品仕切り板の掛け違いを防止できるようになっている。また、当該商品陳列ユニットはどの様な形態の商品に対しても適用できるために在庫管理が容易であるという利点もある。
【先行技術文献】
【特許文献】
【０００６】
【特許文献１】特開平８−２４０９１号公報
【特許文献２】特許第３１２６９４７号公報
【発明の概要】
【発明が解決しようとする課題】
【０００７】
特許文献２のユニットは、棚板上に載置されるが、前方に向かって下り傾斜する状態に並べる。この状態に並べる方法としては、棚板自体を傾斜させる方法とか、ユニットの後方を前方よりも高くする方法があるが、商品の重量とか商品の底部形状等によって傾斜具合を変化させる必要があった。また、棚板としては、価格面や重量面等から網板が多く使用されるが、商品の重量等によりその表面の平坦度が損なわれ、部分的にへこんだり、凹凸部分が生じたりする。網板表面の平坦度が損なわれた状態で上述のようなユニットを載せると、ユニットの底面部も歪んで、陳列された商品の前出し機能に支障をきたすおそれもあった。
【０００８】
そこで、本発明は、大半のストアーで使用している商品陳列棚の棚板上に載せて使用できるようにし、商品の重量により棚板が歪むのを防止するとともに、商品支持部材の歪みも防止し、商品の前出し機能を損ねず、大きさや重量の異なる商品を陳列できる商品陳列取出ユニット及びこのユニットを使用した商品陳列棚を提供することを目的とする。
【課題を解決するための手段】
【０００９】
上述の目的を達成するため、本発明は、商品陳列棚の棚板に載せて使用するローラ付きの商品陳列取出ユニットにおいて、商品の移動方向と直角に商品を支持するローラが並列に回転自在に架設された商品支持部材と、商品の重量による当該商品支持部材の歪みを防ぐための剛性板と、当該剛性板および商品支持部材を保持するとともに一体化させる第１のアタッチメントと、少なくとも剛性板を所望の高さ位置で保持する第２のアタッチメントとを備え、当該剛性板上に商品支持部材が載置され、商品が移動する方向の前方に相当する剛性板および商品支持部材のそれぞれの前方部分に当該第１のアタッチメントが装着され、商品が移動する方向の後方に相当する少なくとも剛性板の後方部分に当該第２のアタッチメントが装着され、当該第１のアタッチメントおよび第２のアタッチメントが棚板上に設置されて、当該剛性板と商品支持部材とが棚板に対して前方に向かって下り傾斜した状態となるように載置したものである。また、このようなユニットが棚板に載置された商品陳列棚である。
【００１０】
前記第１のアタッチメントには、商品支持部材の前方部分を差し込む上段差込口と、剛性板の前方部分を差し込む下段差込口とが形成され、前記第２のアタッチメントには、剛性板の後方部分のみを差し込む差込口が形成され、商品支持部材の後方部分は剛性板上に載置され、商品支持部材の前方部分を上段差込口から抜くとき、後方部分が第２のアタッチメントに邪魔されることなく抜き出されるように構成したものである。
【発明の効果】
【００１１】
本発明は、商品陳列棚の棚板に載せて使用するローラ付きの商品陳列取出ユニットにおいて、商品の移動方向と直角に商品を支持するローラが並列に回転自在に架設された商品支持部材と、商品の重量による当該商品支持部材の歪みを防ぐための剛性板と、当該剛性板および商品支持部材を保持するとともに一体化させる第１のアタッチメントと、少なくとも剛性板を所望の高さ位置で保持する第２のアタッチメントとを備え、当該剛性板上に商品支持部材が載置され、商品が移動する方向の前方に相当する剛性板および商品支持部材のそれぞれの前方部分に当該第１のアタッチメントが装着され、商品が移動する方向の後方に相当する少なくとも剛性板の後方部分に当該第２のアタッチメントが装着され、当該第１のアタッチメントおよび第２のアタッチメントが棚板上に設置されて、当該剛性板と商品支持部材とが棚板に対して前方に向かって下り傾斜した状態となるように載置したものであり、棚板に商品の重量が直接かからず、商品の重量は、一体化された商品支持部材と剛性板にかかり、そのとき剛性板の存在により商品支持部材のローラ面に歪みが生じにくく、商品の前出し機能を損なうことがない。また、このユニットは、安価かつ軽量で多くのストアーで導入されている商品陳列棚の棚板（網板が多い）の上に載せるだけであり、商品陳列棚自体を変える必要がないので、導入コストも低く抑えることができ、設置も簡単である。
【００１２】
第１のアタッチメントには、商品支持部材の前方部分を差し込む上段差込口と、剛性板の前方部分を差し込む下段差込口とが形成され、前記第２のアタッチメントには、剛性板の後方部分のみを差し込む差込口が形成され、商品支持部材の後方部分は剛性板上に載置され、商品支持部材の前方部分を上段差込口から抜くとき、後方部分が第２のアタッチメントに邪魔されることなく抜き出されるように構成したものでは、ローラのメンテナンスを行うときに、組立てられた後にも商品支持部材のみを取外すことができて便利である。
【００１３】
第２のアタッチメントの本体部の一側面に差込口を形成するための一対のリブ状部を設け、本体部の上面と下面までの差込口からの高さを変え、本体部の上下を逆さにして下面のみならず上面も棚板上に載る底面とすることができるようにしたものにあっては、下り傾斜の度合いを簡単に変えることができ、商品の重量や形状等に応じて前出し機能を最適なものとすることができる。
【図面の簡単な説明】
【００１４】
【図１】本発明の実施形態を示す斜視図。
【図２】第１のアタッチメントと第２のアタッチメントに取付けて棚板に載せる状態の側面略図。
【図３】第２のアタッチメントを逆さにして使用した状態の側面略図。
【図４】第１のアタッチメントの側面図。
【図５】第２のアタッチメントの側面図。
【図６】第１のアタッチメントに前面ストッパを取付けた状態の断面図。
【図７】商品支持部材の一部省略平面図。
【図８】一部省略の商品支持部材の部分拡大斜視図。
【図９】ローラとローラカバーとの関係を示す断面図。
【図１０】図９と同様の斜視図。
【図１１】ローラカバーの全体斜視図。
【図１２】従来の商品陳列ケースを示す斜視図。
【図１３】従来の取出ユニットを示す斜視図。
【図１４】従来の取出ユニットの分解斜視図。
【発明を実施するための形態】
【００１５】
以下に本発明の実施形態を図面を参照にして説明する。
【００１６】
図１は、商品陳列棚１の棚板２上に、商品支持部材３と剛性板４とを一体化して載せるための組立前の斜視図を示す。商品支持部材３は、本体ベース５に商品の移動方向と直角に商品を支持するローラ６を並列して回転自在に架設したものである。本体ベース５とローラ６とは、合成樹脂材料で成形されるのが好ましい。また、剛性板４は、商品支持部材３の本体ベース５の下面に設けられ、その上面が水平性を保つものであるとともに商品支持部材３の商品の重量による歪みの発生に対してこれを防止するためのものであり、例えばアルミニウム板を用いることにより、軽量化を図りつつ、剛性も高くなり、商品の重さにより商品支持部材３を歪みにくいものとする。
【００１７】
前記商品支持部材３と剛性板４との一体化は、第１のアタッチメント７と第２のアタッチメント８とを用いて組立てることにより図る。第１のアタッチメント７は、背面に溝７Ａを形成した本体部７Ｂの前面に商品支持部材３の前方部分３Ａを差し込む上段差込口７Ｃと、剛性板４の前方部分を差し込む下段差込口７Ｄとを形成してある。前記第２のアタッチメント８には、剛性板４の後方部分のみを差し込む差込口８Ａを形成してある。第２のアタッチメント８の本体部８Ｂは、中空の細長い四角柱状をなし、本体部８Ｂの一側面に一対の平行なリブ状部８Ｃを突出させて設け、このリブ状部８Ｃの間に差込口８Ａが形成される。
【００１８】
図２は、商品支持部材３と剛性板４とを一体的に組立てる直前の側面略図であり、棚板２上に第１のアタッチメント７と第２のアタッチメント８とが直接載置され、剛性板４の前後は、第１のアタッチメント７の下段差込口７Ｄと第２のアタッチメント８の差込口８Ａに差し込まれる。商品支持部材３の前方部分３Ａは、第１のアタッチメント７の上段差込口７Ｃに差し込まれ、後方部分は剛性板４上に載置される。
【００１９】
具体例（製造例）（図２参照）では、この傾斜度を２度とした。また、第２のアタッチメント８の本体部８Ｂから商品支持部材３の後端までの距離を８ｍｍとし、上段差込口７Ｃへの商品支持部材３の前方部分３Ａの差込量を５ｍｍとし、商品支持部材３の全長を６３７ｍｍ、剛性板４の全長を６４５ｍｍとした。これにより、メンテナンスのため商品支持部材３を取り外す場合には、商品支持部材３を後方へスライドさせることができ（上段差込口７Ｃから取り外せて）容易に商品支持部材３を外すことができる。
【００２０】
図３は、図２に示す状態の第２のアタッチメント８を逆さにして商品支持部材３の下り傾斜を図２の状態よりも鋭くしたものである。ここでは、傾斜角度を４度とした。
【００２１】
図４及び図５は、第１及び第２のアタッチメント７、８の具体例の寸法（単位ｍｍ）を示す。第１のアタッチメント７の本体部７Ｂは、中空の細長い四角柱状のものであり、その本体部７Ｂの背面にＬ字部７Ｅを形成して溝７Ａを形成するとともに、本体部７Ｂの前面に上部リブ状部７Ｆと下部リブ状部７Ｇを形成し、中間にバネ性（皿状に形成）を備えた中間リブ状部７Ｈを形成してある。第２のアタッチメント８も図５に示すような寸法とした。これらアタッチメント７、８は、アルミニウムの押出成形品で構成した。アルミニウムを材料とすることにより、軽く丈夫でいろいろな形状の押出成形も容易となる。
【００２２】
図６は、第１のアタッチメント７の溝７Ａにアクリル板等の透明な前面ストッパ９を取付けた状態の断面を示す。この前面ストッパ９により商品の前方からの転落を防止する。
【００２３】
図７は、商品支持部材３の一部省略の平面図であり、長方形状のベース板１０の前後に仕切板１１を取付けるための掛止溝１２、１３を多数並列して設けてある。ベース板１０の左右両側に側面フェンス１４、１５を取付けるための掛止欠部１６を設けてある（図８参照）。この掛止欠部１６は、１つの側面フェンス１４につき４ヶ所形成してあり（図１参照）、図８の反対の側面にも側面フェンス１５用のものが同じように形成してある。また、ベース板１０の中央部及び前後縁に近接して、仕切板１１の掛止溝１７〜１９（図１も参照）を前記掛止溝１２、１３と平行に、かつ対応させて設け、各掛止溝１２、１３、１７〜１９の間に、商品を支承するローラ６の架設溝２０を設けてある。これらの架設溝２０へローラ６を回転自在に設けてある。これらローラ６の軸６Ａは、架設溝２０の縁部の共通平面縁２１で支持されている。
【００２４】
前記ローラ６の軸６Ａには、図９に示すように、カバー２２の軸受け条２２Ａに設けた溝２３を嵌装してある。また、ローラカバー２２は、図１０に示すように、閉塞部材２２Ｂを備え、各ローラ６間の間隙を閉塞するとともに、商品とローラ６との間には転がり摩擦が生じ、商品と閉塞部材２２Ｂとの間には滑り摩擦が生じるように構成してある。転がり摩擦と滑り摩擦の和を、商品の自重により生じる移動分力より小さくすることで商品は自動で移動することとなる。
【００２５】
前記ローラカバー２２の全体は、図１１に示すように、ローラ６の上周面を露出させるための透孔２２Ｃ及びローラ６間の間隙を埋める閉塞部材２２Ｂを設けてあり、合成樹脂材料で一体成形される。ローラカバー２２の上面は、セット時にローラ６の最上面より若干低くなるようになっている。
【００２６】
上述したような商品支持部材３の構成は一例であり、全体として板状の本体ベース５に商品の移動方向と直角に商品を支持するローラ６を並列して回転自在に架設したものであれば、種々の構造のもの、例えば特開平８−２４０９１号公報、や特開平１０−５０８２号公報等に記載のものを使用することができ、さらには、単に枠状の本体ベース５を合成樹脂材料で一体成形し、この本体ベース５にローラ６を設けただけのものであってもよい。ローラ６の軸６Ａを支承する本体ベース５の枠体を剛性板４で下から支持するようにしておくことにより、ローラ６に重量のある商品が載っても枠体、すなわち本体ベース５の歪みは防止される。
【００２７】
前記第１及び第２のアタッチメント７、８の構造も図示されるものに限定されず、商品支持部材３と剛性板４とをアタッチメント７、８に嵌合させる方式に限定されず、アタッチメント７、８にねじ止めする方式であってもよい。また、第１及び第２のアタッチメント７、８と剛性板４とは、加熱されたアルミ合金をダイス金型を通して押し出す製法により成形されたが、合成樹脂材料で成形することも可能である。合成樹脂でアタッチメント７、８や剛性板４を成形する場合、商品重量による歪みが生じないように剛性面で配慮する必要がある。本実施例では、商品支持部材３と剛性板４とに装着された第１のアタッチメント７と第２のアタッチメント８とが棚板２に載置されているが、第１のアタッチメント７と第２のアタッチメント８とをネジ等で固定することはもちろん、第１のアタッチメント７と第２のアタッチメント８との底面に磁石を貼り付けて棚板２に固定してもよい。また、剛性板４は、棚板２とほぼ同じ大きさのものを用いているが、もちろん、棚板２の所定の領域にのみ使用する場合には、棚板２よりも小さいものを用いてもよい。商品支持部材３の大きさについても同様である。
【符号の説明】
【００２８】
１    商品陳列棚
２    棚板
３    商品支持部材
４    剛性板
５    本体ベース
６    ローラ
７    第１のアタッチメント
８    第２のアタッチメント
【図１】
2011115479.tif 000003
【図２】
2011115479.tif 000004
【図３】
2011115479.tif 000005
【図４】
2011115479.tif 000006
【図５】
2011115479.tif 000007
【図６】
2011115479.tif 000008
【図７】
2011115479.tif 000009
【図８】
2011115479.tif 000010
【図９】
2011115479.tif 000011
【図１０】
2011115479.tif 000012
【図１１】
2011115479.tif 000013
【図１２】
2011115479.tif 000014
【図１３】
2011115479.tif 000015
【図１４】
2011115479.tif 000016